(57)【要約】【課題】本発明は、切削加工時の応力を分散でき、ホルダの剛性を向上させた旋削工具用ホルダおよびそれを用いた旋削工具を提供することを目的とする。【解決手段】切削インサートが載置される着座面を有するインサートポケットが形成された前方部と、該前方部の後方に位置する後方部とを備え、前記後方部が、前記前方部よりも剛性が高い材料からなり、前記後方部は、前方側に向かうにつれて肉厚が薄くなるように傾斜する少なくとも１つの傾斜面を備えており、前記前方部の後端側には凹部が形成されており、該凹部と、前記後方部の傾斜面とが接合された旋削工具用ホルダであって、先端透視において、前記傾斜面の前方端は、前記着座面と略平行であることを特徴とする。【選択図】  図１
2008238283.tif 000002
【特許請求の範囲】
【請求項１】
切削インサートが載置される着座面を有するインサートポケットが形成された前方部と、
該前方部の後方に位置する後方部とを備え、
前記後方部が、前記前方部よりも剛性が高い材料からなり、
前記後方部は、前方側に向かうにつれて肉厚が薄くなるように傾斜する少なくとも１つの傾斜面を備えており、
前記前方部の後端側には凹部が形成されており、該凹部と、前記後方部の傾斜面とが接合された旋削工具用ホルダであって、
先端透視において、前記傾斜面の前方端は、前記着座面と略平行であることを特徴とする旋削工具用ホルダ。
【請求項２】
前記傾斜面は、第１傾斜面と第２傾斜面とを備えており、
前記傾斜面の前方端が前記第１傾斜面と第２傾斜面との交差稜線部であることを特徴とする請求項１に記載の旋削工具用ホルダ。
【請求項３】
前記前方部は、鋼からなることを特徴とする請求項１又は請求項２に記載の旋削工具用ホルダ。
【請求項４】
前記後方部は、超硬合金からなることを特徴とする請求項１乃至３のいずれかに記載の旋削工具用ホルダ。
【請求項５】
前記後方部は、外周面の少なくとも１箇所に平面部を備えていることを特徴とする請求項１乃至４のいずれかに記載の旋削工具用ホルダ。
【請求項６】
前記インサートポケットは、前記平面部を基準に側方に開口するように形成されていることを特徴とする請求項５に記載の旋削工具用ホルダ。
【請求項７】
前記着座面および前記傾斜面の前方端は、先端透視において、前記平面部を基準に、外周側に向かうにつれてホルダの厚み方向に低位となることを特徴とする請求項５又は請求項６に記載の旋削工具用ホルダ。
【請求項８】
先端透視において、前記着座面は、その一端が前方部の外周に位置し、他端が前方部の外周より内側に位置しており、前記傾斜面の前方端は、前記一端側が前記他端側に比べて前方に突出している部分を有することを特徴とする請求項５乃至７のいずれかに記載の旋削工具用ホルダ。
【請求項９】
前記前方部には切屑排出用傾斜面が形成されており、
ホルダの側面透視において、前記切屑排出用傾斜面は、前記傾斜面と略平行に形成されていることを特徴とする請求項１乃至８のいずれかに記載の旋削工具用ホルダ。
【請求項１０】
請求項１乃至９のいずれかに記載の旋削工具用ホルダのインサートポケットに切刃を備える切削インサートを取り付けた旋削工具。
【請求項１１】
請求項１０に記載の旋削工具を用いて被削材を切削する切削方法であって、
前記被削材に旋削工具を相対的に近づける近接工程と、
前記被削材を回転させ、前記切刃を被削材の表面に接触させて、被削材の表面を切削する切削工程と、
前記被削材と前記旋削工具とを相対的に遠ざける離間工程とを、備えることを特徴とする切削方法。
【発明の詳細な説明】
【技術分野】
【０００１】
本発明は、切削インサートが取り付けられる前方部と、シャンクとして機能する後方部とを接合してなる旋削工具用ホルダ及び当該ホルダに切刃を備える切削インサートを取り付けた旋削工具並びに切削方法に関する。
【背景技術】
【０００２】
従来から、超硬合金からなる後方部と、鋼からなる前方部とをロウ付け接合したボーリングバー等の旋削工具や、エンドミル等の転削工具が知られている（例えば特許文献１又は特許文献２）。
【０００３】
ここで、後方部と前方部とを異なる部材を用いて別体構造としているのは、工具本体となる後方部には、高い防振性能が要求され、切削インサートが取り付けられるインサートポケットを形成する必要がある前方部には、高い加工性が要求されるためである。
【０００４】
特許文献１に記載の切削工具においては、前方部と後方部のいずれか一方に円錐形の凸部を形成するとともに、前記凸部に嵌まり合う円錐孔状の凹部を他方に形成し、これらがロウ付けにより接合されている。
【０００５】
特許文献２に記載の切削工具においては、前方部に形成されたＶ溝と後方部に形成されたＶ山とが楔状の面でロウ付け接合されている。
【０００６】
上記特許文献１および特許文献２に記載の構造においては、前方部および後方部に凹凸を設けず平面同士で接合するのに比べて接合面積を向上させることができるため、前方部と後方部との接合強度を向上させることができる。
【０００７】
また、特許文献１に記載の切削工具においては、接合位置が決まりやすいという利点があるが、切削加工時における前方部の軸心に対するねじれが発生しやすいという欠点がある。即ち、切削加工時に前方部に取り付けられた切削インサートの切刃には大きな応力がかかるが、特許文献１のような円錐形状の場合は、軸心を基準点として切刃にかかる力のモーメントを支える部分がなく前方部がねじれ易くなってしまう。
【０００８】
これに対し、特許文献２に記載の切削工具では、前方部のＶ溝と後方部のＶ山とが楔状の面でロウ付けされており、Ｖ山を構成する平面によって回転を抑制できるため、上記のようなねじれが発生しにくい構成となっている。
【特許文献１】特開２００３−１１７７０３号
【特許文献２】特開平８−１４２５号
【発明の開示】
【発明が解決しようとする課題】
【０００９】
しかしながら、前方部のＶ溝と、後方に位置する後方部のＶ山とをロウ付けする構成を特許文献１のような旋削工具に用いる場合、Ｖ山を構成する上側傾斜面と下側傾斜面との交差稜を、切削インサートが載置される載置面に対し、ホルダの先端面視において略直交する角度に取り付けると、切削加工時に、Ｖ山とＶ溝との接合面をスライドさせる方向に力が加わるため、前方部が後方部から外れ易いといった問題がある。
【００１０】
そこで、旋削工具の切削時にＶ山の上側傾斜面に応力がかるように、ホルダの狭持面（平面部）と、Ｖ山を構成する上側傾斜面と下側傾斜面との交差稜とを、ホルダの先端面視において略平行にすることが考えらえる。
【００１１】
しかしながら、前記インサートポケットの切削インサートが取り付けられる載置面は、先端面視において、平面部を基準に側方に開口するように形成されており、また、着座面より下方のホルダの肉厚を確保するため、切刃先端側をホルダの外周側が低位になるように、ホルダの挟持面に対して傾いて形成される。
【００１２】
そのため、切削加工時において、切削インサートの切刃にかかる応力が、Ｖ山の上側傾斜面における切刃先端側に集中する。これにより、Ｖ溝の肉薄部に亀裂が発生し易くなるという問題があった。
【００１３】
そこで本発明は、上記問題点に鑑み、切削加工時の応力を分散でき、ホルダの剛性を向上させた旋削工具用ホルダおよびそれを用いた旋削工具を提供することを目的とする。
【課題を解決するための手段】
【００１４】
本発明の旋削工具用ホルダは、切削インサートが載置される着座面を有するインサートポケットが形成された前方部と、該前方部の後方に位置する後方部とを備え、前記後方部が、前記前方部よりも剛性が高い材料からなり、前記後方部は、前方側に向かうにつれて肉厚が薄くなるように傾斜する少なくとも１つの傾斜面を備えており、前記前方部の後端側には凹部が形成されており、該凹部と、前記後方部の傾斜面とが接合された旋削工具用ホルダであって、先端透視において、前記傾斜面の前方端は、前記着座面と略平行であることを特徴とする。
【００１５】
また、上記発明において、前記傾斜面は、第１傾斜面と第２傾斜面とを備えており、前記傾斜面の前方端が前記第１傾斜面と第２傾斜面との交差稜線部であることが好ましい。
【００１６】
また、上記発明において、前方部は、鋼からなることが好ましく、また、後方部は、超硬合金からなることが好ましい。
【００１７】
また、上記発明において、後方部は、少なくとも１箇所に平面部を備えていることが好ましい。
【００１８】
また、上記発明において、インサートポケットは、前記平面部を基準に側方に開口するように形成されていることが好ましい。
【００１９】
また、上記発明において、着座面および前記傾斜面の前方端は、先端透視において、前記平面部を基準に、外周側に向かうにつれてホルダの厚み方向に低位となることが好ましい。
【００２０】
また、上記発明において、先端透視において、前記着座面は、その一端が前方部の外周に位置し、他端が前方部の外周より内側に位置しており、前記傾斜面の前方端は、前記一端側が前記他端側に比べて前方に突出している部分を有することが好ましい。
【００２１】
さらに、本発明にかかる旋削工具は、上記旋削工具用ホルダのインサートポケットに切刃を備える切削インサートを取り付けたことを特徴とする。
【００２２】
また、本発明にかかる切削方法は、上記旋削工具を用いて被削材を切削する切削方法であって、前記被削材に旋削工具を相対的に近づける近接工程と、前記被削材を回転させ、前記切刃を被削材の表面に接触させて、被削材の表面を切削する切削工程と、前記被削材と前記旋削工具とを相対的に遠ざける退避工程とを、備えることを特徴とする。
【発明の効果】
【００２３】
本発明を用いることにより、切削加工時における応力を後方部の傾斜面に分散できる。そのため、ホルダの剛性が向上し、ホルダに亀裂が入ることを抑制することができる。
【発明を実施するための最良の形態】
【００２４】
以下、本発明の実施形態を添付図面により説明する。
【００２５】
図１乃至図５は、本発明の実施形態を示すものであり、図１は本発明の第一の実施形態による旋削工具用ホルダに切削インサートを取り付けた旋削工具の分解斜視図、図２は図１における前方部の拡大図、図３は図１における後方部の（ａ）平面図、（ｂ）側面図、（ｃ）正面図、図４は第二の実施形態による旋削工具用ホルダの分解斜視図、図５は図４の（ａ）平面図、（ｂ）側面図、（ｃ）正面図である。
【００２６】
図１乃至図３において、本実施例による旋削工具用ホルダ１は、切削インサート２が載置される着座面３を有するインサートポケット４を備える前方部５と、前方部５の後方に位置する棒状の後方部６とを備えている。なお、本発明において、前記着座面とは、切削工具の技術に属する当業者における着座面と同意であり、図１および図２においては、切削インサート２が載置されてネジ止めされている、切削インサート２との接触面積が最も広い面を着座面３としている。
【００２７】
ホルダ１の後方部は、前方部よりも剛性が高い材料から形成されている。具体的には、前方部は鋼からなり、後方部は超硬合金からなる。なお、本発明における剛性とは変形に対する抵抗を示すものである。鋼としては、機械構造用合金鋼等が使用可能であり、実施例においてはクロムモリブデン鋼ＳＣＭ４４０を用いている。また、超硬合金とは、タングステンカーバイトとコバルトを主成分とするものである。
【００２８】
このように、ホルダ１を前方部５と後方部６の異なる部材に分けた別体構造としているのは、インサートポケット４が形成される前方部５には高い加工性が要求される一方、工具本体の保持部となる後方部６には高い剛性と防振性能が要求されるからである。
【００２９】
図１に示すように、後方部６の上方及び下方には、互いに平行な第１平面部７が形成されている。この平面部７は、ホルダ１を切削装置に取り付け、保持する際の狭持面となるものである。なお、後方部６の側方には第２平面部８が形成されているが、この第２平面部８はホルダ１の型番等を印字するための表示面であり、狭持面となるものではない。
【００３０】
また、後方部６の先端側には、平面部７を基準として、後方側から前方側に向かって傾斜する、換言すると前方に向かうにつれて厚み方向において低位となる、更に換言すると前方に向かうにつれて肉厚が薄くなるように傾斜する上側傾斜面９及び下側傾斜面１０とを備えている。なお、本発明における第１傾斜面と第２傾斜面に、前記上側傾斜面９と下側傾斜面１０がそれぞれ対応する。
【００３１】
一方、前方部５の後端側には、後方部６の上側傾斜面９と下側傾斜面１０とに面当接すべく形成された凹部１１が備えられている。そして、該凹部１１において、前方部５と後方部６とをロウ付けし、接合することにより、ホルダ１を形作るよう構成されている。なお、前方部５と後方部６の内部には、切削油剤の経路としてのオイルホール１２が形成されており、上側傾斜面９と下側傾斜面１０との交差稜線部から凹部１１を経由して、インサートポケット４に隣接する前方部５の側面に開口するよう構成されている。
【００３２】
なお、実施例においては、上側傾斜面９と下側傾斜面１０とが後方部６の前方端において交差した楔形状となっているが、本発明においては、当該形状に限定されず、少なくとも１つの傾斜面を備えていれば良く、例えば、後方部６の前方端において上側傾斜面９と下側傾斜面１０とが離間しており、その間が平面や球面でつながっている形状であっても良い。
【００３３】
また、前記凹部１１は、前方部５の後端側に上側傾斜面９及び下側傾斜面１０の一部と接触する部分を備える凹み形状であれば良く、例えば、後方部６の前方端が凹部と非接触となっていても良い。なお、実施例のように、Ｖ溝状に形成し、上側傾斜面９と下側傾斜面１０の全面を凹部と接合する場合は、後方部６との接触面積が増加し、前方部５と後方部６との接合強度が向上するため好ましい。
【００３４】
図２に示すように、インサートポケット４は、着座面３と該着座面３に垂直な複数の壁面とで構成されており、前方部５の上面と一方の側面に開口している。そして、切削インサート２が、該インサートポケット４の側方に切刃部１３を突出させて取付けられる。
【００３５】
図２において、着座面３は、先端透視における着座面３の前方部５の外周に位置する一端とは反対方向となる他端側（切削インサート２の切刃部１３の突出する方向とは反対の方向）に向かうにつれてホルダの厚み方向に高くなるように傾斜している。換言すれば、取り付けられる切削インサートの切刃部１３の突出する方向に向かって、下方に傾斜させて形成されている。また、前述の上側傾斜面９と下側傾斜面１０との交差稜線部（後方部６の前方端）もまた、該着座面３と同じように切刃部１３の突出する方向に向け、下方に傾斜させて形成されている。
【００３６】
すなわち、ホルダの先端透視において、上側傾斜面９と下側傾斜面１０の交差稜線部である前方端は、ホルダの先端透視における着座面と略平行である。また、ホルダの先端透視における前記前方端を基準として、ホルダの先端透視における着座面３の傾きが略等しくなるように形成されている。
【００３７】
なお、略平行および略等しい角度の範囲としては、上側傾斜面９の前方端を基準として、前記着座面３の傾斜角度が±１０°、更に好ましくは±５°の範囲内であることを意味する。
【００３８】
また、本発明における先端透視とは、前方部の前方より後方部に向かう方向（図１における矢印Ａの方向）に見た場合に、対象となる着座面３および上側傾斜面９（後方部）の前方端以外の部分を透視して比較することを意味する。具体的に判断する方法としては、前方部と後方部との接合を外して、後方部５の前方端と、着座面３とを先端視することにより比較する方法などによって判別することができる。また、着座面３が、前方側に開口していない場合や、着座面３がねじれた形状となっているなど平らな形状でない場合は、前方部から後方部に向かう方向において、着座面３の中心を通るように、前記方向と直行する断面で切断したものによって判別することができる。
【００３９】
また、前方部５の上面の先端側から後端側にかけては、前記第１平面部７を基準に切刃部１３が突出している側方から他方に向かうにつれ下側の肉厚が厚くなるように上側に向かって傾斜する切屑排出用傾斜面１４が形成されている。当該傾斜面１４はインサートポケット４に隣接して形成されており、切削によって生成した切屑を切刃部１３の斜め後方にガイドして、排出する役割を果たすためのものである。当該切屑排出用傾斜面は、ホルダの側面透視において、前記切屑排出用傾斜面は、前記傾斜面と略平行に形成されている。
【００４０】
上記本実施例における旋削用工具は、例えば、円筒状の被削材内面に溝入れ加工をする、内径加工用の溝入れ工具として用いることができる。すなわち、被削材を回転させ、回転する円筒の内部に工具を挿入し、切刃部１３を円筒の内壁に接触させて押し込むことにより、被削材内面に溝を形成することができる。
【００４１】
一般に、溝入れ加工においては、切刃部１３の上方から下方にかけて切削の負荷が集中して加わるため、インサートポケット４の着座面３に大きな応力が発生する。一方、内径加工用の工具では、工具ホルダを円筒状の被削材の内部に挿入した状態で加工しなければならないため、工具ホルダの直径を必要以上に大きくすることができないという制約がある。そのため、内径加工用の溝入れ工具では、切削時にインサートポケット４の着座面３のコーナー部にクラックが発生したり、当該コーナー部から破損しやすいなどの問題がある。
【００４２】
これに対し、本実施例の旋削工具では、着座面３は、先端透視における着座面３の前方部５の外周に位置する一端とは反対方向となる他端側（切削インサート２の切刃部１３の突出する方向とは反対の方向）に向かうにつれてホルダの厚み方向に高くなるように傾斜させていることにより、着座面３の下側の肉厚が大きくなるよう構成しているので、インサートポケット４の強度が高められ、上記のような問題が生ずるのを低減することができる。
【００４３】
また、従来の前方部と後方部とをロウ付け等で接合する切削工具においては、上側傾斜面９と下側傾斜面１０との交差稜線部（後方部６の前方端）が、ホルダ１の狭持面（平面部７）と平行となるように形成され、接合されている。そのため、上記のような構造を着座面３のインサートポケットの開口する側面とは反対方向に向かうにつれてホルダの厚みが増すように上側に傾斜された構造の内径加工用の溝入れ工具に単に取り入れた場合、切削時に下側傾斜面１０の切刃部１３側の前方端に応力が集中することとなり、接合が損なわれたり、破損が生じるなどの恐れがある。
【００４４】
これに対し、本実施例においては、上述したように上側傾斜面９と下側傾斜面１０との交差稜線部（後方部６の前方端）を着座面３と同じように切刃部１３の突出する方向に向け下方に傾斜させており、先端透視における後方部６の前方端を着座面３と平行となるように構成している。その結果、切削時に発生する応力を特定の箇所に集中させることなく、上側傾斜面９と下側傾斜面１０とに均一に分散させることができるので、接合が損なわれたり、破損が生じるのを低減することができる。
【００４５】
次に、図４及び図５を用いて本発明の第二の実施形態による旋削工具用ホルダ２０１について説明する。なお、ここで、第一の実施形態による旋削工具用ホルダ１と同一の構成については、同様の符号を付し、説明を省略する。
【００４６】
図４及び図５に示すように、本実施例においては、ホルダ２０１の後方部２０６の上側傾斜面（第１傾斜面）２０９と下側傾斜面（第２傾斜面）２１０との交差稜線部が、後方部２０６の先端側に向かうにつれ、切削インサート２の切刃部１３の突出する方向と同じ方向に突出するよう構成されている。換言すると、先端透視において、前記着座面は、その一端が前方部の外周に位置し、他端が前方部の外周より内側に位置しており、前記傾斜面の前方端は、前記一端側が前記他端側に比べて前方に突出している部分を有している。
【００４７】
即ち、傾斜面の前方端（上側傾斜面２０９と下側傾斜面２１０の交差稜線）は、ホルダの外周の二点を結ぶ一端と他端を有しており、一端が他端よりも前方に位置している。また、着座面３は、傾斜面の前方端の中点を基準に一端側に偏って形成されている。なお、偏って形成されているとは、着座面の重心が傾斜面の前方端が前方の位置している一端側にずれていること意味する。
【００４８】
そして、前方部２０５の凹部２１１もまた、該上側傾斜面２０９及び下側傾斜面２１０と面当接すべく形成されている。そして、実施例１と同じようにして、該凹部２１１において、前方部２０５と後方部２０６とをロウ付けし、接合することにより、ホルダ２０１が形作られる。
【００４９】
ここで、前述したように、工具本体の保持部となる後方部２０６には高い防振性能が要求されることから、後方部２０６は剛性に富む超硬合金製の材料で作られる。そして、同じ超硬合金製の材料を用いた場合であっても、より高い防振性能を得るためには、より先端の切刃部１３に近い位置までを超硬合金製の材料で構成するのが望ましい。
【００５０】
これに対し、本実施例では、第１平面部７を基準にインサートポケット４が開口する側方を一方、反対側の側方を他方とした場合に、上側傾斜面の前方端は、一方が他方に比べて前方に突出した部分を有する形状となっている。このような構成としたことにより、切屑排出用傾斜面１４に接合面を追従させ、切刃部１３により近い位置までを剛性の高い後方部２０６で形成することができるので、ホルダの剛性が向上する。また、接合部の面積が増加することにより、接合強度が高まる。
【００５１】
次に、本発明の切削方法について図面を参照して説明する。
【００５２】
図６から図８に本発明の切削方法の工程図を示す。まず、旋削用工具ホルダ１に切削インサート２を取り付ける。そして、図６に示すように、被削材２０を回転させて旋削工具１５の切刃１３を被削材２０に近づける。なお、切刃１３と被削材２０は、相対的に近づけば良く、例えば、被削材１０を旋削工具１５に近づけても良い。
【００５３】
次いで、図７に示すように、切刃１３を被削材２０に接触させて被削材２０を切削する。その後、図８に示すように被削材２０から旋削工具１５を離間させる。なお、切削加工を継続する場合は、被削材２０を回転させた状態を保持して、被削材２０の異なる箇所に旋削工具１５の切刃１３を接触させる工程を繰り返す。
【００５４】
上記切削方法としては、外径加工、具体的には横引き加工を例に説明したが、内径加工等その他の旋削加工に用いることができる。
【００５５】
以上、本発明の実施形態を例示したが、本発明は前記実施形態に限定されるものではなく、発明の目的を逸脱しない限り任意のものとすることができることは言うまでもない。
【図面の簡単な説明】
【００５６】
【図１】本発明の第一の実施形態による旋削工具用ホルダに切削インサートを取り付けた旋削工具の分解斜視図である。
【図２】図１における前方部の拡大図である
【図３】図１における後方部の（ａ）平面図、（ｂ）側面図、（ｃ）正面図である。
【図４】第二の実施形態による旋削工具用ホルダの分解斜視図である。
【図５】図４の（ａ）平面図、（ｂ）側面図、（ｃ）正面図である。
【図６】本発明の切削方法の工程図である。
【図７】本発明の切削方法の工程図である。
【図８】本発明の切削方法の工程図である。
【符号の説明】
【００５７】
１、２０１  旋削工具用ホルダ
２  切削インサート
３  着座面
４  インサートポケット
５、２０５  前方部
６、２０６  後方部
７  第１平面部
８  第２平面部
９、２０９  上側傾斜面（第１傾斜面）
１０、２１０  下側傾斜面（第２傾斜面）
１１、２１１  凹部
１２  オイルホール
１３  切刃部
１４  切屑排出用傾斜面
１５  旋削工具
２０  被削材
【図１】
2008238283.tif 000003
【図２】
2008238283.tif 000004
【図３】
2008238283.tif 000005
【図４】
2008238283.tif 000006
【図５】
2008238283.tif 000007
【図６】
2008238283.tif 000008
【図７】
2008238283.tif 000009
【図８】
2008238283.tif 000010